(57)【特許請求の範囲】
【請求項１】
情報を表示する表示部と、
キーシートが装着され、情報を入力する入力部と、
前記キーシートに固有に割り当てられるＩＤと、各キーに割り当てられる内容を示すキーデータとを格納するキーシートテーブルと、
前記入力部から入力された前記キーシートの変更指示に基づいて前記キーシートが変更されたと判定した場合、前記入力部から前記ＩＤを入力し、入力された前記ＩＤに基づいて前記キーシートテーブルを検索して任意に選択したキーに割り当てられたキーデータを読み出し、選択した前記キーを確認キーとして押下の指示を前記表示部に表示し、前記確認キーに対応するキーが押下された場合、前記キーシートの変更が正常に行われたと判定する制御部と、
を備える情報処理端末。
【請求項２】
振動を生成する振動部、発光をする発光部、音声を発する発生部、の中から１つ以上選ばれる通知部をさらに備え、
前記制御部は、
前記キーシートの変更が正常に行われたと判定した場合、前記通知部により変更が正常に行われた旨の通知を行う請求項１記載の情報処理端末。
【請求項３】
複数の入力部を備え、
前記制御部は、
前記入力部ごとに前記キーシートの変更が正常に行われたかを判定する請求項２記載の情報処理端末。
【請求項４】
情報を表示する表示部と、
キーシートが装着され、情報を入力する入力部と、
前記キーシートに固有に割り当てられるＩＤと、各キーに割り当てられる内容を示すキーデータとを格納するキーシートテーブルと、
制御部と、
を備える情報処理端末において、
前記制御部が、
前記入力部から入力された前記キーシートの変更指示に基づいて前記キーシートが変更されたと判定した場合、前記入力部から前記ＩＤを入力し、
入力された前記ＩＤに基づいて、前記キーシートテーブルを検索して任意に選択したキーに割り当てられたキーデータを読み出し、
選択した前記キーを確認キーとして押下の指示を前記表示部に表示し、
前記確認キーに対応するキーが押下された場合、前記キーシートの変更が正常に行われたと判定するキーシート確認方法。
【請求項５】
情報を表示する表示部と、
キーシートが装着され、情報を入力する入力部と、
前記キーシートに固有に割り当てられるＩＤと、各キーに割り当てられる内容を示すキーデータとを格納するキーシートテーブルと、
を備える情報処理端末を、
前記入力部から入力された前記キーシートの変更指示に基づいて前記キーシートが変更されたと判定した場合、前記入力部から前記ＩＤを入力するＩＤ入力手段と、
入力された前記ＩＤに基づいて前記キーシートテーブルを検索して任意に選択したキーに割り当てられたキーデータを読み出すキーデータ読み出し手段と、
選択した前記キーを確認キーとして押下の指示を前記表示部に表示し、前記確認キーに対応するキーが押下された場合、前記キーシートの変更が正常に行われたと判定する判定手段と、
として機能させるための情報処理端末プログラム。
【発明の詳細な説明】
【技術分野】
【０００１】
本発明の実施形態は、情報処理端末及びキーシート確認方法に関する。
【背景技術】
【０００２】
例えば商品の販売店にて顧客の注文をコンピューターによって処理する場合、注文の内容を入力するために情報処理端末が使用される。
【０００３】
この情報処理端末は、注文を受けた商品名が記載されたキーが押下されると、そのキーに対応づけられた信号の入力が行われ、注文の内容の入力がなされる。
【０００４】
ここで、情報処理端末のキーの数には限りがある一方、商品は多岐にわたる。例えば、飲食店において昼間のメニューと夜のメニューとが異なる場合、全てのメニューを情報処理端末に登録しておくのは不可能である。
【０００５】
そこで、商品の名称などを記載したキーシートを入れ替えるとともに、入れ替えたキーシートに対応するキーの登録内容を情報処理端末に登録することにより、注文の入力を可能にすることが行われている。例えば、キーシート毎にＩＤを割り当て、このＩＤを情報処理端末に入力する。
【０００６】
しかし、キーシートを入れ替えた際に、誤ってそのキーシートとは異なるキーシートのＩＤが入力されることがある。
【０００７】
この状態を放置すると、誤った内容にて注文が処理され、損害が発生することがある。
【０００８】
この点に関し、キーシートに無線タグなどのＩＤ部を設け、情報処理端末にこのＩＤを読み取るＩＤ読取部を設け、キーシートを交換すると情報処理端末はキーシートのＩＤをＩＤ読取部によって読み取って、このＩＤに対応する予め格納されているキー配列を読み出す技術が提案されている。
【０００９】
しかし、ＩＤを読み取った後の無線タグは不要であるにも関わらずキーシートに装着されたままになっていると、ＩＤ読取部である無線タグリーダライタは皿やテーブルなどに装着される無線タグを読む際にＩＤ部である無線タグを誤読することがある。
【００１０】
また、ＩＤ部をバーコードにより形成する場合、ＩＤ読取部として設けられるバーコードリーダは他の業務に流用が困難な位置に設置されるため、情報処理端末の製造コストが割高なものとなる。
【先行技術文献】
【特許文献】
【００１１】
【特許文献１】特開２００２−１４９３２２号公報
【発明の概要】
【発明が解決しようとする課題】
【００１２】
従って、安価に製造でき、キーシートの誤装着を効果的に防止できる情報処理端末、キーシート確認方法、及び情報処理端末プログラムが求められている。
【課題を解決するための手段】
【００１３】
上記の課題を解決するために、本発明の一実施形態は、情報を表示する表示部と、キーシートが装着され、情報を入力する入力部と、キーシートに固有に割り当てられるＩＤと、各キーに割り当てられる内容を示すキーデータとを格納するキーシートテーブルと、  入力部から入力されたキーシートの変更指示に基づいてキーシートが変更されたと判定した場合、入力部からＩＤを入力し、入力されたＩＤに基づいてキーシートテーブルを検索して任意に選択したキーに割り当てられたキーデータを読み出し、選択したキーを確認キーとして押下の指示を表示部に表示し、確認キーに対応するキーが押下された場合、キーシートの変更が正常に行われたと判定する制御部と、を備える情報処理端末を提供する。
【図面の簡単な説明】
【００１４】
【図１】情報処理端末を開いた場合の外観斜視図である。
【図２】第２入力部の図１ＡＡ線断面図である。
【図３】第２入力部の図１ＡＡ線断面図の他の例を示す図である。
【図４】情報処理端末の構成を示すブロック図である。
【図５】キーシートテーブルのデータ構造を示す図である。
【図６】第１入力部用の第１キーシートの第１の例を示す図である。
【図７】第１入力部用の第１キーシートの第２の例を示す図である。
【図８】第２入力部用の第２キーシートの第１の例を示す図である。
【図９】第２入力部用の第２キーシートの第２の例を示す図である。
【図１０】情報処理端末の操作を示すフローチャートである。
【発明を実施するための形態】
【００１５】
以下、情報処理端末、キーシート確認方法、及び情報処理端末プログラムの一実施形態について、図面を用いて詳細に説明する。
【００１６】
ここで、情報処理端末には、いわゆるハンディーターミナルのほか、ＰＯＳ端末、街頭設置型情報処理端末（ＫＩＯＳＫ端末）、等が含まれる。
【００１７】
本実施形態の情報処理端末は、情報を表示する表示部と、キーシートが装着され、情報を入力する入力部と、キーシートが変更されたと判定した場合、任意に選択される、交換後のキーシートに記載されている確認キーの押下の指示を表示部に表示し、確認キーに対応するキーが押下された場合、キーシートの変更が正常に行われたと判定する制御部と、を備える。
【００１８】
なお、本実施の形態では、情報処理端末として飲食店用のハンディーターミナルに適用した例を用いて説明する。
【００１９】
図１は、情報処理端末１を開いた場合の外観斜視図である。図１に示すように、情報処理端末１は、本体部１０と、蓋部２０と、を備える。
【００２０】
情報処理端末１は、本体部１０の表面に情報を表示する表示部１１と、テンキーとして使用される第１入力部１２と、キーシートを第１入力部１２に装着するための第１キーシート挿入部１３と、を備える。
【００２１】
表示部１１は、例えば、液晶表示装置（ＬＣＤ）を用いることができる。
【００２２】
第１入力部１２は、タッチパネルを用いることができる。
【００２３】
第１キーシート挿入部１３には、矢印Ｘ１の方向から第１キーシートが挿入される。
【００２４】
情報処理端末１は、蓋部２０の表面にメニューキーとして使用される第２入力部２１と、キーシートを第２入力部２１に装着するための第２キーシート挿入部２２と、を備える。
【００２５】
第２入力部２１は、タッチパネルを用いることができる。
【００２６】
第２キーシート挿入部２２には、矢印Ｘ２の方向から第２キーシートが挿入される。
【００２７】
図２は、第２入力部２１の図１ＡＡ線断面図である。図２に示すように、第２入力部２１は、透明なフィルム３２と、フィルム３２の下層に配置されるキーシート３３と、キーシート３３の下層に配置されるタッチパネル３４と、タッチパネル３４を支持するホルダー３５と、外側ケース３１と、を備える。
【００２８】
この場合、第１入力部１２の断面は、第２入力部２１の断面と同様である。
【００２９】
図３は、第２入力部２１の図１ＡＡ線断面図の他の例を示す図である。図３に示すように、第２入力部２１は、透明なタッチパネル３４と、タッチパネル３４を支持する透明なホルダー３５と、ホルダー３５の下層に配置される透明なフィルム３２と、フィルム３２の下層に配置されるキーシート３３と、外側ケース３１と、を備える。
【００３０】
この場合、第１入力部１２の断面は、第２入力部２１の断面と同様である。
【００３１】
図４は、情報処理端末１の構成を示すブロック図である。図４に示すように、情報処理端末１は、ＣＰＵなどの演算装置を含む制御部４１と、コントローラと通信をする通信部４２と、表示部１１と、第１入力部１２と、第２入力部２１と、ＲＯＭ、ＲＡＭなどのメモリを含み、キーシートに独自に割り当てられるＩＤ及びＩＤに対応するキー配列を格納するキーシートテーブル４３Ａを格納する記憶部４３と、本体部１０に振動を生成する振動部４４と、発光をする発光部４５と、音声を発する発生部４６と、を備える。発光部４５は、例えばＬＥＤ等である。また、発生部４６は、スピーカーなどである。
【００３２】
通信部４２は、情報処理端末１によって収集した注文の情報をコントローラに送信する。
【００３３】
記憶部４３は、フラッシュＲＯＭなどの不揮発性メモリを含んでいてもよい。
【００３４】
振動部４４、発光部４５、発生部４６は、これらのうち１つまたは複数を省略することもできる。
【００３５】
図５は、キーシートテーブル４３Ａのデータ構造を示す図である。図５に示すように、キーシートテーブル４３Ａは、第１入力部１２又は第２入力部２１の別を示す「Ｐ−Ｎｏ．」と、キーシートに固有に割り当てられる「ＩＤ」と、各キーに割り当てられた内容を示す「キーデータ」と、を格納する。
【００３６】
格納されるデータの例は、Ｐ−Ｎｏ．が「０２」、ＩＤが「００４」、キーデータは、キー１は「ビール」、キー２は「ワイン赤」等、キー４０は「ＥＮＴＥＲ」である。
【００３７】
図６は、第１入力部１２用の第１キーシートの第１の例を示す図である。図６に示すように、第１キーシートの第１の例は、下部にＰ−Ｎｏ．とＩＤが記載される。また、テンキーの配列は携帯電話の並び方となっている。
【００３８】
図７は、第１入力部１２用の第１キーシートの第２の例を示す図である。図７に示すように、第１キーシートの第２の例は、下部にＰ−Ｎｏ．とＩＤが記載される。また、テンキーの配列は電子卓上計算機の並び方となっている。
【００３９】
ユーザは、携帯電話並びのテンキーと、電子卓上計算機の並びのテンキーとを、キーシートを交換することにより選択することができる。
【００４０】
図８は、第２入力部２１用の第２キーシートの第１の例を示す図である。図８に示すように、第２キーシートの第１の例は、下部にＰ−Ｎｏ．とＩＤが記載される。また、各キーの位置には、ソフトドリンクなどを初めとする昼間用のメニューが記載される。右下には「ＥＮＴＥＲ」が記載される。
【００４１】
図９は、第２入力部２１用の第２キーシートの第２の例を示す図である。図９に示すように、第２キーシートの第１の例は、下部にＰ−Ｎｏ．とＩＤが記載される。また、各キーの位置には、アルコール類などを初めとする夜間用のメニューが記載される。右下には「ＥＮＴＥＲ」が記載される。
【００４２】
ユーザは、昼間用のメニューと、夜間用のメニューとを、キーシートを交換することにより選択することができる。
【００４３】
図１０は、情報処理端末１の操作を示すフローチャートである。情報処理端末１は、制御部４１により、キーシートの交換の際には少なくともＩＤを入力し、このＩＤに基づいてキーシートテーブル４３Ａを検索して入力されたＩＤに対応するキーデータを読み出す。
【００４４】
そして、情報処理端末１は、任意のキーの位置に対応するメニューのキーを押下するように表示部１１に表示する。
【００４５】
情報処理端末１は、正しいキーが押下されたと判定した場合に、入力されたＩＤに対応するキーシートが装着されたと判定する。
【００４６】
具体的には、図１０に示すように、動作１００１において情報処理端末１は第１入力部１２又は第２入力部２１からの入力によりキーシートの変更指示があったかを判定する。情報処理端末１は、キーシートの変更指示によりキーシートの変更があったと判定した場合、動作１００２に進み、変更指示があったと判定しなかった場合、動作１００１に戻る。
【００４７】
動作１００２において、情報処理端末１は、Ｐ−Ｎｏ．及びＩＤを含むキーシート情報を入力する。
【００４８】
動作１００３において、ＩＤに基づいてキーシートテーブル４３Ａを検索して入力されたＩＤに対応するキーデータを読み出し、任意のキーの位置に対応するメニューのキーである確認キーを入力するように表示部１１に表示する。
【００４９】
情報処理端末１は、表示部１１に、例えば「１」のキーに対応するキーデータが「ビール」の場合、「１」のキーを確認キーとして「ビールのキーを押してください。」との表示をすることができる。この場合、変更後のキーシートが正しく行われたか否かを判定する確認用の確認キーとして「１」のキーが予め定められた設定されている。
【００５０】
動作１００４において、情報処理端末１は確認キーを入力する。
【００５１】
動作１００５において、情報処理端末１は正しい確認キー、すなわち、キーシートテーブル４３Ａから読み出した、確認キーのメニューに対応するキーが押下されたかを判定する。上記の例の場合、情報処理端末１は「１」のキーが押下されたかを判定する。
【００５２】
情報処理端末１は、正しい確認キーが押下されたと判定した場合、動作１００６に進み、正しい確認キーが押下されたと判定しない場合は、動作１００７に進む。
【００５３】
動作１００６において、情報処理端末１は変更完了通知を発する。すなわち、情報処理端末１は、振動部４４に振動させ、発光部４５に発光させ、発生部４６に変更が完了した旨の音声を発生させ、表示部１１に「キーシートの変更が完了しました。」のように、変更が完了した旨の表示を出力する。
【００５４】
動作１００７において、情報処理端末１は、エラーが発生した旨の通知を表示部１１に一定時間出力する。情報処理端末１は、予め定められた所定の時間が経過した後に、動作１００８に移る。
【００５５】
動作１００８において、情報処理端末１は、通常画面を表示する。
【００５６】
なお、確認キーは、キーシート毎に変更しても、各キーシートに共通のキーを使用してもよい。
【００５７】
確認キーをキーシート毎に変更する場合、例えば図８に示すＩＤ：００３のキーシートでは、左上端の「オレンジジュース」のキーを確認キーとし、図９に示すＩＤ：００４のキーシートでは右上端の「サワー」のキーを確認キーとすることができる。
【００５８】
この場合、キーシートの確認の精度を上げることが可能となる。
【００５９】
各キーシートに共通のキーを使用する場合、例えば図８に示すＩＤ：００３のキーシートでは、左上端の「オレンジジュース」のキーを確認キーとし、図９に示すＩＤ：００４のキーシートでも左上端の「ビール」のキーを確認キーとすることができる。
【００６０】
この場合、オペレータが確認キーを探す手間が省け、操作性が向上する。
【００６１】
また、上述の例では確認キーを一つ用いていたが、複数の確認キーを用いるようにしてもよい。
【００６２】
例えば、図９に示すＩＤ：００４のキーシートでは右上端の「サワー」のキーを第１の確認キーとし、左上端の「ビール」のキーを第２の確認キーとすることができる。
【００６３】
この場合、いずれの確認キーもあっていることをキーシート変更確認の要件とすることによりキーシートの確認の精度をさらに上げることが可能となる。
【００６４】
以上述べたように、本実施形態の情報処理端末１は、情報を表示する表示部１１と、テンキーとして使用される第１入力部１２と、メニューキーとして使用される第２入力部２１と、キーシートが変更されたと判定した場合、任意に選択される、交換後のキーシートに記載されている確認キーの押下の指示を表示部１１に表示し、この確認キーに対応するキーが押下された場合、キーシートの変更が正常に行われたと判定し、変更完了通知を発する制御部と、を備える。
【００６５】
従って、キーシートの誤装着を効果的に防止できるという効果がある。
【００６６】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６７】
１２：第１入力部
２１：第２入力部２１
【図１】
0005521002.tif 000002
【図２】
0005521002.tif 000003
【図３】
0005521002.tif 000004
【図４】
0005521002.tif 000005
【図５】
0005521002.tif 000006
【図６】
0005521002.tif 000007
【図７】
0005521002.tif 000008
【図８】
0005521002.tif 000009
【図９】
0005521002.tif 000010
【図１０】
0005521002.tif 000011